【手続補正書】
【提出日】平成16年4月14日(2004.4.14)
【手続補正１】
【補正対象書類名】明細書
【補正対象項目名】特許請求の範囲
【補正方法】変更
【補正の内容】
【特許請求の範囲】
【請求項１】
マトリクス状に配置された複数の画素電極と、各画素電極に対応して設けられたスイッチ素子と、前記画素電極のうち同じ行方向に配置された画素電極に対応するスイッチ素子を共通接続して同時に開閉動作させる制御信号を送るための走査線と、前記画素電極のうち同じ列方向に配置された画素電極に、対応するスイッチ素子を介して映像信号を送るための映像信号線と、前記複数の画素電極に対向配置された対向電極と、を有する表示パネル部と、
映像データを受信する前に受信したリセット信号に応じた第１のタイミング信号を生成し、この第１のタイミング信号に基づいて、前記リセット信号に同期して送られてくる非表示データを選択し、この選択した非表示データを前記第１のタイミング信号に対応する前記映像信号線に送出し、その後、送られくる前記映像データを、第２のタイミング信号に基づいて選択し、この選択した映像データを前記第２のタイミング信号に対応する前記映像信号線に送出する映像信号線駆動回路と、
を備えていることを特徴とする表示装置。
【請求項２】
請求項１記載の表示装置を駆動する駆動方法であって、
前記非表示データを一水平帰線期間中に書き込み、前記映像データを一水平走査期間中に書き込むことを特徴とする表示装置の駆動方法。
【請求項３】
前記一水平帰線期間中に書き込まれる前記非表示データの信号の極性が、同一水平画素ライン中の表示領域に前記水平走査期間中に書き込まれる前記映像データの信号の極性と同一であることを特徴とする請求項２記載の表示装置の駆動方法。
【請求項４】
前記非表示データの表示には、前記映像データの表示に用いられる画素電極と対向電極との間の電位差の領域外の電位差が用いられることを特徴とする請求項２記載の表示装置の駆動方法。
【請求項５】
前記映像信号線駆動回路は、ｎビットのアドレス信号と前記リセット信号とに基づいて前記第１または第２のタイミング信号を出力する論理回路と、この論理回路の出力に基づいて前記映像データ又は非表示データを選択する選択回路と、
を備えていることを特徴とする請求項１記載の表示装置。
【請求項６】
前記映像信号線駆動回路は、
ｎビットのアドレス信号に基づいて前記第１または第２のタイミング信号を出力する論理回路と、
前記第１のタイミング信号に基づいて前記非表示データを選択する第１の選択回路と、
前記第２のタイミング信号に基づいて前記映像データを選択する第２の選択回路と、
を備えていることを特徴とする請求項１記載の表示装置。
【請求項７】
前記映像信号線駆動回路は、
縦続接続された複数のフリップフロップからなり、スタートパルスを受信し、このスタートパルスをクロック信号に同期して後段のフリップフロップに順次転送するシフトレジスタ回路と、このシフトレジスタ回路の各段のフリップフロップの出力と前記リセット信号とに基づいて前記第１または第２のタイミング信号を出力するリセット回路とを有する論理回路と、
前記第１または第２のタイミング信号に基づいて前記映像データまたは前記非表示データを選択する選択回路と、
を備えていることを特徴とする請求項１記載の表示装置。
【請求項８】
前記シフトレジスタ回路の所定の段のフリップフロップと次段のフリップフロップとの間に設けられ、表示される画面のアスペクト比に応じて、前記所定の段のフリップフロップの出力を選択するか、または初段のフリップフロップに入力されるスタートパルスをバイパスしたパルス信号を選択するように接続を切換え、この選択した信号を前記次段のフリップフロップに送出する切換手段を備えていることを特徴とする請求項７記載の表示装置。
【請求項９】
前記切換手段が前記バイパスされたパルス信号を選択するように接続を切換えた場合には、前記初段乃至前記所定の段のフリップフロップを含む複数段のフリップフロップの出力に基づいた前記第２のタイミング信号を出力しないようにする手段を前記論理回路は更に備えていることを特徴とする請求項８記載の表示装置。
【請求項１０】
マトリクス状に配置された複数の画素電極と、各画素電極に対応して設けられたスイッチ素子と、前記画素電極のうち同じ行方向に配置された画素電極に対応するスイッチ素子を共通接続して同時に開閉動作させる制御信号を送るための走査線と、前記画素電極のうち同じ列方向に配置された画素電極に、対応するスイッチ素子を介して映像データを送るための映像信号線と、前記画素電極に対向配置された対向電極と、を有する表示パネル部と、
リセット信号を受信しない場合は第１期間で走査線を選択し、リセット信号を受信した場合は前記第１期間とは異なる第２期間で走査線を選択する論理回路と、前記論理回路の出力に基づいて選択された走査線に前記制御信号を供給するバッファアンプ回路と、を有する走査線駆動回路部と、
を備えていることを特徴とする表示装置。
【請求項１１】
複数の表示画素から成る水平画素ラインが複数本配列されて成る表示パネルに映像データに基づく表示画像を形成する表示装置の駆動方法において、
前記映像データの垂直帰線期間を含めた一垂直走査期間の水平画素ライン数の設定が表示パネルの水平画素ライン数よりも少ない場合、前記映像データに対応しない複数の水平画素ラインに同時に非表示データを第１期間で書き込むと共に、前記映像データを、この映像データに対応する少なくとも一本の前記水平画素ラインに、前記第１期間と異なる第２期間で書き込むことを特徴とする表示装置の駆動方法。
【請求項１２】
前記第１期間が一垂直帰線期間で、前記第２期間が垂直走査期間であることを特徴とする請求項１１記載の表示装置の駆動方法。
【請求項１３】
前記論理回路は、ｍビットのアドレス信号と前記リセット信号に基づいて走査線を選択することを特徴とする請求項１０記載の表示装置。
【請求項１４】
前記論理回路は、
縦続接続された複数のフリップフロップからなり、スタートパルスを受信し、このスタートパルスをクロック信号に同期して後段のフリップフロップに順次転送するシフトレジスタ回路と、このシフトレジスタ回路の各段のフリップフロップの出力と前記リセット信号とに基づいて前記走査線を選択するための信号を出力するリセット回路とを有する、
ことを特徴とする請求項１０記載の表示装置。
【請求項１５】
前記シフトレジスタ回路の所定の段のフリップフロップと次段のフリップフロップとの間に設けられ、表示される画面のアスペクト比に応じて、前記所定の段のフリップフロップの出力を選択するか、または初段のフリップフロップに入力されるスタートパルスをバイパスしたパルス信号を選択するように接続を切換え、この選択した信号を前記次段のフリップフロップに送出する切換手段を備えていることを特徴とする請求項１４記載の表示装置。
【請求項１６】
前記切換手段が前記バイパスされたパルス信号を選択するように接続を切換えた場合には、前記初段乃至前記所定の段のフリップフロップを含む複数段のフリップフロップの出力に基づいた前記走査線を選択するための信号を出力しないようにする手段を前記論理回路は更に備えていることを特徴とする請求項１５記載の表示装置。
【請求項１７】
前記表示パネル部は、前記画素電極、前記スイッチ素子、前記走査線、および前記映像信号線が形成されたアレイ基板と、前記対向電極が形成された対向基板と、前記アレイ基板と前記対向基板との間に挟持された液晶層と、を備えていることを特徴とする請求項１，５，６，７，８，９のいずれかに記載の表示装置。
【請求項１８】
前記映像信号線駆動回路は前記アレイ基板上に形成されていることを特徴とする請求項１７記載の表示装置。
【請求項１９】
前記表示パネル部は、前記画素電極、前記スイッチ素子、前記走査線、および前記映像信号線が形成されたアレイ基板と、前記対向電極が形成された対向基板と、前記アレイ基板と前記対向基板との間に挟持された液晶層と、を備えていることを特徴とする請求項１０，１３，１４，１５，１６のいずれかに記載の表示装置。
【請求項２０】
前記走査線駆動回路は前記アレイ基板上に形成されていることを特徴とする請求項１９記載の表示装置。